(57)【要約】【目的】簡単に脱ぐことができ、かつ作業中には、より安全に作業可能な作業用安全帯を提供する。【構成】腰部に捲回する腰帯１と、前記腰帯の背後部分より、背後で交差して肩より前方に回り込む２本の肩帯２と、外部の固定物に接続するランヤードに脱着自在に接続する安全帯３を備え、前記腰帯及び２本の肩帯相互を脱着自在に一体的に接続し、一度に取り外せるバックルを備えた作業用安全帯において、前記腰帯に一方の端部が固定された、足に捲回するための足帯４を設けるとともに、前記足帯の他方の端部はリング状接続具４１を備えており、一方、前記バックルは平板状の接続具を接続し、一度に取り外せる４つの接続部を備え、前記リング状接続部に前記腰帯の平板状接続具１１を挿通し、足帯のループを形成させるようにしたことを特徴とする。【選択図】  図１
2005245567.tif 000002
【特許請求の範囲】
【請求項１】
腰部に捲回する腰帯と、前記腰帯の背後部分より、背後で交差して肩より前方に回り込む２本の肩帯と、外部の固定物に接続するランヤードに脱着自在に接続する安全帯を備え、前記腰帯及び２本の肩帯相互を脱着自在に一体的に接続し、一度に取り外せるバックルを備えた作業用安全帯において、前記腰帯に一方の端部が固定された、足に捲回するための足帯を設けるとともに、前記足帯の他方の端部はリング状接続具を備えており、一方、前記バックルは平板状の接続具を接続し、一度に取り外せる４つの接続部を備え、前記リング状接続部に前記腰帯の平板状接続具を挿通し、足を挿通する足帯のループを形成させるようにしたことを特徴とする作業用安全帯。
【請求項２】
前記安全帯は肩帯に固定されており、非常時に肩部より吊り下げられるようになっていることを特徴とする請求項１記載の作業用安全帯。
【請求項３】
前記バックルは二つ折りのバックルカバーの一方の面に固定されており、他方の面を二つ折りすることにより、バックルが被われるようになっていることを特徴とする請求項１または２記載の作業用安全帯。
【請求項４】
前記バックルカバーは一方の前記肩帯の接続部を備えた先端部付近に固定されていることを特徴とする請求項３記載の作業用安全帯。
【請求項５】
前記足帯は、腰帯の側方付近に固定されており、足の前方を回り、股を通って背後に導かれ、腰帯背後部分に設けられた案内ループをくぐって、側方より腰帯の接続具に接続することを特徴とする請求項１から４記載のいずれかの作業用安全帯。
【発明の詳細な説明】
【技術分野】
【０００１】
本発明は、作業用安全帯、さらに詳細には緊急時に迅速に取り外し可能な作業用安全帯に関する。
【背景技術】
【０００２】
たとえば、回転翼飛行体あるいは固定翼飛行体より、物資を投下するような場合、あるいは回転翼飛行体で地上あるいは水上の遭難者を救出する場合に、前記飛行体より作業者が身を乗り出したりする必要を生じる場合がある。したがって、このような作業中に、作業者の事故を防止するために、作業用安全帯を装着し、飛行体より落下しないようにしている。
【０００３】
従来のこのような作業用安全帯は、図４に示すように、腰回りに捲回する腰帯１を備えている。そしてこの腰帯１はバックルＢで脱着自在に接続される。さらに前記腰帯１の背後部分に固定され、相互に交差して肩より前方に回り込み、前記バックルＢによって脱着自在に固定される２本の肩帯２を備えているとともに、さらに飛行体に固定されるランヤードＨに脱着自在に接続可能な安全帯３を、同様に腰帯１の背後に固定した構造になっている。
【発明の開示】
【発明が解決しようとする課題】
【０００４】
たとえば、救助作業中に、たとえば回転翼飛行体が墜落し、不時着水あるいは着陸したとき、急激な沈下あるいは爆発から逃れるために、飛行体より早急に避難する必要がある。このような作業用安全帯においては、前記バックルＢで腰帯１および肩帯２を一度に外すことができるので、前記作業用安全帯を迅速に外すことができる。
【０００５】
しかしながら、作業中に飛行体より落下した場合には、前記ランヤードＨにより吊り下げられることになるが、前記安全帯３は腰帯１の背後に固定されているため、腰帯１が作業者の上半身を摺り上がることになり、極端な場合には脱げてしまう恐れが合った。
【０００６】
このような場合を防止するために、腰帯１にループ状の足帯４を設け（図３参照）、この足帯４に作業者の足を挿入して、前記のような作業用安全帯を装着するようにした作業用安全帯も知られている。このような作業用安全帯によれば、作業中には、前述の作業用安全帯よりも安全が確保できる点より、優れているといえる。
【０００７】
しかしながら、この場合不時の事故に合ったときに、この作業用安全帯を脱ぐときには、この足帯４から足を抜く必要があり、迅速な避難を確保できない恐れがあった。
【０００８】
本発明は、上述の課題を解決することを目的とするものであり、簡単に脱ぐことができ、かつ作業中には、より安全に作業可能な作業用安全帯を提供することを目的とする。
【課題を解決するための手段】
【０００９】
上記課題を解決するため、本発明による作業用安全帯は、腰部に捲回する腰帯と、前記腰帯の背後部分より、背後で交差して肩より前方に回り込む２本の肩帯と、外部の固定物に接続するランヤードに脱着自在に接続する安全帯を備え、前記腰帯及び２本の肩帯相互を脱着自在に一体的に接続し、一度に取り外せるバックルを備えた作業用安全帯において、前記腰帯に一方の端部が固定された、足に捲回するための足帯を設けるとともに、前記足帯の他方の端部はリング状接続具を備えており、一方、前記バックルは平板状の接続具を接続し、一度に取り外せる４つの接続部を備え、前記リング状接続部に前記腰帯の平板状接続具を挿通し、足帯のループを形成させるようにしたことを特徴とする。
【発明の効果】
【００１０】
本発明の作業用安全帯によれば、腰帯の平板状接続具を足帯の他方の端部に設けられたリング状接続具のリングに通し、前記バックルに接続するため、前記腰帯が解除されると同時に前記平板状接続具はリング状接続具より抜脱することになる。このため、腰帯、肩帯及び足帯が同時に外れることになり、足帯を備えていても緊急時に容易に作業用安全帯を脱ぐことが可能になる。したがって、作業の安全性を向上でき、かつ緊急時の避難性を向上させることができる。
【発明を実施するための最良の形態】
【００１１】
上述のように、本発明による作業用安全帯は、腰部に捲回する腰帯と、前記腰帯の背後部分より、背後で交差して肩より前方に回り込む２本の肩帯と、外部の固定物に接続するランヤードに脱着自在に接続する安全帯を備え、前記腰帯及び２本の肩帯相互を脱着自在に一体的に接続し、一度に取り外せるバックルを備えた作業用安全帯において、前記腰帯に一方の端部が固定された、足に捲回するための足帯を設けるとともに、前記足帯の他方の端部はリング状接続具を備えており、一方、前記バックルは平板状の接続具を接続し、一度に取り外せる４つの接続部を備え、前記リング状接続部に前記腰帯の平板状接続具を挿通し、足を挿通する足帯のループを形成させるようにしたことを特徴とする。
【００１２】
本発明に好ましい形態においては、前記安全帯は肩帯に固定されており、非常時に肩部より吊り下げられるようになっていることを特徴とする。さらに他の形態としては前記バックルは二つ折りのバックルカバーの一方の面に固定されており、他方の面を二つ折りすることにより、バックルが被われるようになっていることを特徴とし、さらに好ましくは、前記バックルカバーは一方の前記肩帯の接続部を備えた先端部付近に固定されていることを特徴とする。
【００１３】
本発明の好ましい形態の前記足帯は、腰帯の側方付近に固定されており、足の前方を回り、股を通って背後に導かれ、腰帯背後部分に設けられた案内ループをくぐって、側方より腰帯の接続具に接続することを特徴とする。
【実施例】
【００１４】
図１は本発明による作業用安全帯の一実施例の背面図であり、図２は正面図であるが、これらの図より明らかなように、本発明による作業用安全帯は、腰部に捲回する腰帯１と前記腰帯１の背後部分あるいは側方部分に一方の端部が固定され、相互に交差して肩より前方に回り込む肩帯２を備えている。そして腰帯１の両端には平板状の腰帯接続具１１が備えられており、肩帯２の他方の端部には同様な平板状の肩帯接続具２１が設けられた構造になっている。ランヤード（図示せず）に接続するための安全帯３は、この実施例では肩帯２の肩部後方の位置に取り付けられている。この場合、飛行体より落下したときには肩部で吊り下げられることになり、従来のように腰部分で吊り下げられた場合に比較して、吊り下げられた作業者の自由度が大きくなるという利点がある。本発明においては、足帯４を備えているため、肩部で吊り下げることが可能になった。
【００１５】
本発明においては、前述のように足帯４を備えている。前記足帯４の一方の端部は腰帯１の側方に固定されており、他方の端部にはリングを備えたリング状接続具４１を備えている。さらに腰帯１の背後部分には、前記足帯４を案内する案内ループ５が設けられている。
【００１６】
バックルＢは、腰帯１の２つの接続具１１，肩帯２の２つの接続具２１を同時に接続し、かつ解除ボタンＢ１を押す、あるいは回転させることによって、前記４つの接続具１１，２１が同時に解除できるような４つの接続部を備えており、前記接続具１１，２１は前記バックルＢに前方腰部分で接続されるようになっている。このようなバックルはロータリーバックルとして知られている（たとえば、商標名ＳＣＨＲＯＣＨ）。
【００１７】
このバックルＢは、バックルカバー６を備えることができ、たとえば前記バックルカバー６は二つ折りになっており、一方の面にバックルＢを固定し、他方の面を折って、前記バックルＢに被せるようにすることができる。このように前記バックルＢを被うことによって、作業中の痛み軽減、誤作動防止効果が得られる。前記バックルカバー６は肩帯２の一方の先端部（接続具２１が設けられている部分）付近に固定しておくこともできる。
【００１８】
図３は腰帯１と足帯４を接続する場合の構造を示している。図２より明らかなように、足帯４を、まず足の前方向から股を通って背後方向に廻し、案内ループ５をくぐらせ、腰の側方よりバックルＢ方向に案内する。そして先端部のリング状接続具４１に腰帯１の先端部の平板状接続具１１の平板状部分１１１を前記リング状接続具４１のリング４１１に通し、バックルＢに接続する。
【００１９】
このように接続することによって、バックルＢより腰帯１の接続具１１が外れたとき、前記リング状接続具４１も前記接続具１１の平板状部分１１１より外れる。このため、腰帯１，肩帯２及び足帯４は同時に外れることになる。
【００２０】
なお、図中、７は背当て布、８はそれぞれの帯の長さを調整する長さ調整金具である。
【００２１】
本発明による作業用安全帯を使用するに際しては、まず、前述のように足帯４を足の前方向から股を通って背後方向に廻し、案内ループ５をくぐらせ、腰の側方よりバックルＢ方向に案内する。そして先端部のリング状接続具４１に腰帯１の先端部の平板状接続具１１の平板状部分１１１を前記リング状接続具４１のリング４１１に通し、バックルＢに接続する。さらに肩帯２を背後方向より肩を通って前方に廻し、前記肩帯２の先端部の接続具２１をバックルＢに接続する。
【００２２】
次いで、飛行体の機体に接続されたランヤードに安全帯３を接続する。このような状態で救出などの作業を行う。もし万が一落下した場合にも、安全帯３によって肩帯２により肩部より吊り下げられる。このように肩部より吊り下げられても、足帯４が設けられているため、作業用安全帯が抜脱することはなく、また腰から吊り下げられた状態より安定性がある。
【００２３】
もし飛行体が不時着水した場合などは、バックルＢの解除ボタンＢ１を押して、バックルＢと腰帯１，肩帯２の接続部１１、１２を解除することにより、前記腰帯１及び肩帯２は同時に解除されることになる。前記バックルＢより腰帯１の接続具１１が外れたとき、前記リング状接続具４１も前記接続具１１の平板状部分１１１より外れる。このため、腰帯１，肩帯２及び足帯４は同時に外れることになる。
【産業上の利用可能性】
【００２４】
腰帯の平板状接続具を足帯の他方の端部に設けられたリング状接続具のリングに通し、前記バックルに接続するため、前記腰帯が解除されると同時に前記平板状接続具はリング状接続具より抜脱することになる。このため、腰帯、肩帯及び足帯が同時に外れることになり、足帯を備えていても緊急時に容易に作業用安全帯を脱ぐことが可能になる。したがって、作業の安全性を向上でき、かつ緊急時の避難性を向上させることができる。
【図面の簡単な説明】
【００２５】
【図１】本発明の作業用安全帯の背面図。
【図２】本発明の作業用安全帯の一実施例の正面図。
【図３】バックルと腰帯及び足帯の接続方法を説明する図。
【図４】従来の作業用安全帯の背面図。
【符号の説明】
【００２６】
１      腰帯
１１    接続具
１１１  平板状部分
２      肩帯
２１    接続具
３      安全帯
４      足帯
４１    リング状接続具
４１１  リング
【図１】
2005245567.tif 000003
【図２】
2005245567.tif 000004
【図３】
2005245567.tif 000005
【図４】
2005245567.tif 000006